(57)【要約】【課題】  反射原稿と透過原稿とを読み取り可能な画像読取装置において、透過原稿の装着を簡単かつ素早く、確実に行えるようにすること。【解決手段】  透過原稿を保持するフィルムホルダ６１を、軸６１ａ及び６１ｂを中心に左右に回動可能に設ける。これにより、像が正しく見えるように透過原稿をセットした後、矢印ａに従って右方向に倒すことで、フィルムの表裏が正しくセットされた状態に移行できる。この際、フィルムホルダ６１が読取装置に保持されているため、位置ずれも防止できる。【選択図】  図３
2005204163.tif 000002
【特許請求の範囲】
【請求項１】
反射原稿用光源と、透過原稿用光源とを有し、前記反射原稿用光源で照射される反射原稿と、前記透過原稿用光源で照射される透過原稿との読み取りが可能な画像読み取り手段とを有する画像読取装置であって、
反射原稿が置かれる原稿台と、
前記原稿台の所定位置に取り付けられ、透過原稿を保持するための保持手段とを有し、
前記保持手段が、前記原稿台に取り付けられた状態で、前記原稿台に対する向きが１８０°異なる第１の位置及び第２の位置のいずれかの状態を取りうるように前記原稿台に取り付けられることを特徴とする画像読取装置。
【請求項２】
前記透過原稿用光源の位置が、少なくとも前記第１の位置にある前記保持手段を照射範囲として含むように定められることを特徴とする請求項１記載の画像読取装置。
【請求項３】
前記保持手段が前記第２の位置にある状態において、前記反射原稿用光源によって前記保持手段に保持された透過原稿を照射可能としたことを特徴とする請求項１又は請求項２記載の画像読取装置。
【請求項４】
請求項１乃至請求項３のいずれか１項に記載の画像読取装置を用いた画像形成装置。
【発明の詳細な説明】
【技術分野】
【０００１】
本発明は反射原稿および透過原稿の読み取りが可能である画像読み取りユニットを有する画像読取装置に関するものである。
【背景技術】
【０００２】
イメージスキャナ、複写機などの画像読み取りユニットにおいて、雑誌などの反射原稿と写真フィルムなどの透過原稿の２種類の原稿の画像を読み取る機能を有するものが知られている。
【０００３】
このような画像読み取りユニットは、イメージセンサなどを内蔵した画像読み取り部を内部に備えたユニット本体と、ユニット本体に対して回動自在に設けられ、ユニット本体の上部に位置した圧板ユニットから構成され、圧板ユニットには透過原稿用光源が内蔵されている。
【０００４】
フィルム等透過原稿の画像を読み取る場合には、透過原稿をユニット本体の上面に設けられた原稿台ガラス上に載置し、圧板ユニットに内蔵された透過原稿光源を点灯させて、透過原稿の透過光を画像読み取り部で検出することにより、透過原稿画像が読み取られる。
【０００５】
従来、透過原稿を読み取る場合には、フィルムホルダとよばれる保持具に透過原稿を挟み込み、そのフィルムホルダを原稿台ガラス上にセットしていた。また、通常、透過原稿光源の照明範囲は原稿台ガラスの大きさよりも狭いため、透過原稿は原稿台ガラス上の透過原稿読み取り領域にセットする必要がある。そして、このセットを容易に行えるよう、長方形形状のフィルムホルダの角を位置決め部として、原稿台ガラス上の１つの角に突き当ててセットすることでフィルムホルダ内の透過原稿が透過原稿読み取り領域内にセットされるように構成したものがある（例えば特許文献１、特許文献２参照）。
【０００６】
【特許文献１】特開２０００−３５８１３２号公報（第４頁、図２）
【特許文献２】特開２００３−５３０４号公報（第７頁、図１）
【発明の開示】
【発明が解決しようとする課題】
【０００７】
しかしながら、上記従来例では以下の課題があった。
上述のように、従来、反射原稿と透過原稿の２種類の原稿の画像を読み取り可能な画像読取装置では、透過原稿をフィルムホルダに装着して原稿台ガラス上に置くという方法が採られている。そして、フィルムホルダは読み取りユニットとは別体であり、透過原稿の読み取りを行う際にのみ使用するため、画像読取装置とは別の場所に保管しておき、必要な際に取り出して使用することになる。
【０００８】
しかし、一般的にこの種の画像読取装置は、透過原稿よりも反射原稿の画像を読み取るために使用されることが多く、フィルムホルダを使用する機会は少ない。そのため、いざフィルム画像を読み取ろうとした際フィルムホルダをどこへ置いておいたか分からなくなり、フィルム画像の読み取りができないという問題や、フィルムホルダを取り出す手間が煩わしいという問題が生じる。
【０００９】
また、この種の画像読取装置では通常、透過原稿に光を当てて画像を読み取ることが可能な透過原稿読み取り可能領域は、反射原稿読み取り可能な領域よりも狭い。従ってフィルム画像を正しく読み取るためには、装着されたフィルムが透過原稿読み取り可能領域内に入る位置にフィルムホルダを載置しなければならない。また、読み取り後の処理を考慮すると、傾いて読み取りされないように配置することも重要である。
【００１０】
特許文献１、２に開示された方式では原稿台ガラス上の１つの角にフィルムホルダの角を突き当てて位置決めをしているが、単に原稿台ガラスの角にホルダの角を突き当てて置くだけであるので、手が触れたり、圧板ユニットを閉じる際にフィルムホルダの位置がズレてしまうことがある。その結果、フィルムの一部が透過原稿読み取り領域を外れた状態でセットされてしまったり、斜めに傾いた状態でセットされてしまう。その結果として、フィルム画像の一部が読み取れなかったり、斜めに傾いた画像を読み取ってしまうという問題が生じる。
【００１１】
また、従来、フィルムホルダにフィルムをセットした状態で画像の読み取りを行う場合、読み取りユニット本体に対してフィルムの表面（ベース面）が向き合い、フィルム裏面（乳剤面又は膜面）が透過原稿用光源に向き合うようにセットしなくてはならない。しかしながら、従来フィルムホルダにフィルムを装着して原稿台上にセットした状態では、そのフィルムの表面が上になっているのか裏面が裏になっているのかを判別するのが難しく間違いに気づくのが困難であった。フィルムの表面が透過原稿光源に向き合うようにセットしてしまい、使用者がフィルムの表裏が逆転している事に気づかずに画像の読み取りを行ったため、表裏が逆転した画像を読み取ってしまうという問題が生じることがある。
【００１２】
本発明はこのような従来技術の問題点を解決する画像読取装置及びこの画像読取装置を用いた画像形成装置を提供することをその主な目的とするものである。
【課題を解決するための手段】
【００１３】
すなわち、本発明の要旨は、反射原稿用光源と、透過原稿用光源とを有し、反射原稿用光源で照射される反射原稿と、透過原稿用光源で照射される透過原稿との読み取りが可能な画像読み取り手段とを有する画像読取装置であって、反射原稿が置かれる原稿台と、原稿台の所定位置に取り付けられ、透過原稿を保持するための保持手段とを有し、保持手段が、原稿台に取り付けられた状態で、原稿台に対する向きが１８０°異なる第１の位置及び第２の位置のいずれかの状態を取りうるように原稿台に取り付けられることを特徴とする画像読取装置に存する。
【発明の効果】
【００１４】
上記構成とすることにより、反射原稿と透過原稿とを読み取り可能な画像読取装置において、透過原稿の装着を簡単かつ素早く、確実に行えるようになる。
【発明を実施するための最良の形態】
【００１５】
●（第１の実施形態）
以下、図面を参照して、本発明をその好適な実施形態に基づき詳しく説明する。なお、以下の実施形態に記載されている構成部品の寸法、材質、形状、その相対配置などは、それに限定する旨の明示がない限り、単なる一例であり、発明の範囲を限定するものではない。
【００１６】
また、以下の実施形態においては、本発明に係る画像読取装置を用いた画像形成装置の一例として、原稿の画像を取り込んで記録するコピー機能と、コンピュータから送られたデータに基づいてプリントするプリント機能と、原稿の画像を取り込みコンピュータ装置に画像データを送るスキャナ機能と、フィルム画像を取り込みコンピュータ装置に画像データを送るフィルムスキャナ機能を有する画像読み取り記録装置を説明する。しかし、画像読取装置を利用する他の任意の画像形成装置、例えば複写機やファクシミリ装置にも本発明に係る画像読取装置を適用可能であることは言うまでもない。
【００１７】
図１に、本実施形態に係る画像読取記録装置の概略の断面図を、図２に、外観斜視図を、図２０に主要機能構成を表すブロック図をそれぞれ示す。
図１及び図２０に示すように、本実施形態による画像読取記録装置は、インクジェット式の記録装置からなる記録ユニットＡ、原稿を光学的に読み取る読取ユニットＢ、表示部や操作キーなどが配設された操作部Ｃ、装置の電源供給を実行する電源ユニットＤと装置全体を制御するための制御部６２０とホストコンピュータ等の外部装置や通信ネットワークを接続するための接続部６１０とを例えば１箇所にまとめた電装部、および、これらの装置部品を覆う筐体から構成されている。制御部６２０は、例えば制御プログラムが記憶されたＲＯＭと、この制御プログラムを実行するＣＰＵと、作業用のＲＡＭを含み、制御プログラムに従って各部を制御することによって、後述する透過原稿読み取り処理を含む、画像読取記録装置の動作を制御する。
【００１８】
読取ユニットＢには、フィルムホルダの位置を検出するフィルムホルダ位置検出センサ６４０、反射原稿用光源を内蔵し、撮像素子により反射光像又は透過光像を読み取る画像読み取り部４１及び画像読み取り部を副走査方向に移動させる駆動部６５０が含まれている。なお、図２０には本発明に直接関係のない構成については省略してある。
【００１９】
また、図２に示すように、この筐体は、装置背面を覆うリアカバー１、装置の中側部に位置するミドルカバー２、装置下部のボトムカバー３、装置前面の左に位置するフロントカバー左４ａ、装置前面の右に位置するフロントカバー右４ｂ（図４参照）、操作部Ｃの下部に位置する操作下カバー６、その上部に位置する操作パネル７、読取ユニットＢを覆うスキャナカバー８、読取ユニットＢに載置された原稿を上から押える圧板ユニット９、及び記録紙カバー１０から構成されている。
【００２０】
また、図３に示すように、この圧板ユニット９は、その端部の２箇所に配設されたヒンジにより回動可能に構成されているとともに、原稿台ガラス６０にかぶさるように配設されている。
【００２１】
原稿台ガラス６０の左端に配置されているのがフィルムホルダ６１である。図５は、フィルムホルダ６１の斜視図である。透過原稿を読み取るときにこのフィルムホルダ６１を使用する。フィルムホルダ６１の開口部６１ｃの輪郭は３５ｍｍストリップフィルムＦ４〜６コマ分の露光範囲を囲む大きさの長方形である。開口部６１ｃの長手方向軸は読取ユニットＢの主走査方向軸（図３の装置の前後方向軸）に平行である。
【００２２】
フィルムホルダ６１は３５ｍｍストリップフィルムＦ（以下ネガフィルムという。）を保持し、原稿台ガラス６０における所定の位置にフィルムをセットすることができる。なお、本実施形態ではネガフィルム保持用フィルムホルダを記述しているが、ポジフィルム用フィルムホルダあるいはポジ、ネガ両方のフィルムを保持できるフィルムホルダでも良い。
【００２３】
フィルムホルダの長手方向の両端には、長手方向に延びる中心軸を共通とする丸軸６１ａ、および６１ｂがあり、丸軸６１ａおよび６１ｂの中心軸を結んだ軸を回転中心として矢印ａで示すように回動可能であるようにスキャナカバー８上面に取り付けられている。フィルムホルダ６１はユーザが容易に着脱可能な構成を有しており、例えば丸軸６１ａ、６１ｂをスキャナカバー上面に設けられた凹部にはめ込んでセットするように構成されている。フィルムホルダ６１を丸軸６１ａおよび６１ｂを回転中心として１８０度回転させて原稿台ガラス６０上に倒した状態を図４に示す。
【００２４】
図３の状態からフィルムホルダ６１を１８０度回転させて図４の状態にした時に、フィルムホルダ６１が透過原稿読み取り領域内に位置決めされるよう、スキャナカバー８に丸軸６１ａ、６１ｂが配置されている。また丸軸６１ａの近傍かつ読み取りユニット内にフィルムホルダの状態を検出するホルダセンサが配置されている（不図示）。ホルダセンサはフォトインタラプタセンサで構成され、前記フィルムホルダが右に倒されたときには、フィルムホルダから伸びたリブ（不図示）がフォトインタラプタセンサのスリットをさえぎることにより、フィルムホルダ６１の状態を検出できる構成となっている。
【００２５】
図４、図８を参照して圧板ユニットの構成について説明する。図８は、圧板ユニット９を裏面からみた斜視図である。
圧板ユニット９には、圧板ユニット９を閉じたとき原稿台ガラス６０に密接するように、白色シートユニット６２が配設されている。白色シートユニット６２は白色シート、スポンジ、板状のプラスチック部材の順で積層された構成を有している。厚みを有する原稿の場合でも周辺まで原稿台ガラス６０に密接可能とするために、白色シートと板状のプラスチック部材との間にスポンジが設けられている。
【００２６】
白色シートユニット６２は圧板ユニット９から伸びた爪形状部（図示せず）に引っ掛けられて取り付けられており、爪形状部から取り外すことにより圧板ユニット９から取り外すことが可能である（図９）。
【００２７】
また、図９に示すように、白色シートユニット６２と圧板ユニット９の間には透過原稿用光源６３が配置されている。フィルム画像を読み取るときにフィルムを照射する光源である。透過原稿用光源６３は拡散板と拡散板近傍に配置される蛍光灯などの光源（いずれも不図示）からなる面発光部と光源駆動回路部とを備えている。
【００２８】
図６は、画像読取記録装置にフィルムホルダ６１を取り付ける様子を示す斜視図、図７はその拡大図である。フィルムホルダ６１の丸軸６１ａおよび６１ｂがスキャナカバー上面に設けられた凹部にはめ込んでセットするように構成されている。まず、丸軸６１ｂをスキャナカバー上面手前側に設けられた凹部８ｂに挿入し、続いて丸軸６１ａをスキャナカバー上面奥側に設けられた凹部８ａに嵌合させることで画像読取記録装置のスキャナカバーにフィルムホルダ６１が取り付けられる。
【００２９】
原稿台ガラス６０に載置された反射原稿を読み取る場合、フィルムホルダ６１が図３の位置にある状態で圧板ユニット９を原稿台ガラス９に閉じた状態でフィルムホルダ６が白色シートユニット６２と干渉しないように、白色シートユニット６２のフィルムホルダ６側端部は存在していない。
【００３０】
本実施形態の画像読取記録装置を用いてネガフィルムの画像を読み取る場合、図３の位置でフィルムホルダ６１を図５のように開いてネガフィルムを装着し、フィルムの表裏方向が正しいか確認した後、フィルムホルダ６１を右に回転させて原稿台ガラス６０上に倒す（図４の状態にする）。次いで白色シートユニット６２を取り外してから圧板ユニット９を原稿台ガラス６０上に閉じ、ネガフィルムの画像読み取りを開始する。この手順及び装置動作については後で詳しく説明する。なお、フィルムホルダ６１にフィルムを装着するためにフィルムホルダ６１を開閉する方向は、図５〜図７に示す方向に限定されるものではない。
【００３１】
図４の状態で圧板ユニット９を原稿台ガラス６０上にかぶせた際、透過原稿用光源６３の照射領域にフィルムホルダ６１の開口部６１ｃが対向するよう、透過原稿用光源６３とフィルムホルダ６１の丸軸６１ａ及び６１ｂの位置が決定されている。
【００３２】
次に、被記録材としての記録紙の搬送について説明する。本実施形態においては、通常定形のカット紙を用いるものとする。
【００３３】
図１に示すように、本実施形態の画像読み取り記録装置はオートシートフィーダ２６を備えており、この通常定形のカット紙は、オートシートフィーダー２６に複数枚重ねて収納される。オートシートフィーダー２６は、紙面に垂直な方向に移動可能なスライダ２７によって記録紙のサイズに合わせて記録紙の側面をガイド可能に構成されている。なお、積載された記録紙に埃がたまったり、異物が記録部に入り込んだりすることを防止するための記録紙カバー１０が設けられている。
【００３４】
そして、オートシートフィーダー２６に収納積載された記録紙は、給紙ローラおよび分離パッド（いずれも図示せず）によって、１枚ずつ分離搬送される。その後、記録ユニットＡまで挟持搬送される。
【００３５】
記録ユニットＡにおいては、記録ヘッドによる記録が行われる。そして、記録ユニットＡは、この記録ヘッドと、その下流に位置して印字された記録紙を装置の下流側に向けて搬送する排紙ロ−ラと、排紙ロ−ラの対向側にあり記録紙の印字面に接触してもインクが転写されない材質から構成された拍車とから、構成されている。
これらのうちの排紙ロ−ラおよび拍車によって搬送された記録紙は、装置本体の前部に設けられた記録紙排紙トレイ５上に排出される。
【００３６】
次に、本実施形態における記録ユニットＡの構成について説明する。
本実施形態においては、上述したように、インクジェット方式の記録ユニットＡを用いているが、これに限定されるものではなく、電子写真方式の画像形成手段等、適宜な画像形成手段を適用することができる。インクジェット方式の記録ヘッドは、一般に、微細な液体吐出口（オリフィス）と、液路およびその一部に設けられるエネルギー作用部と、この作用部にある液体に作用させる液滴形成エネルギーを発生するエネルギー発生手段とを備えている。また、この記録ヘッドは交換可能に構成されている。
【００３７】
また、インク吐出のためのエネルギーを発生するエネルギー発生手段としては、ピエゾ素子などの電気機械変換体を用いたものや、レ−ザなどの電磁波を照射して、この液体にエネルギーを吸収させて発熱させ、この発熱の作用によって液滴を吐出させ飛翔させるようにしたものや、電気熱変換体により液体を加熱することによって液体を吐出させるようにしたものなどを挙げることができる。
【００３８】
これらのうちの、熱エネルギーによって液体を吐出させるインクジェット記録方式に用いられる記録ヘッドは、記録用の液滴を吐出して飛翔用液滴を形成するための液体吐出口（オリフィス）を高密度に配列することができるため、高解像の記録をすることが可能である。
【００３９】
また、エネルギー発生手段として電気熱変換体を用いた記録ヘッドは、他の記録ヘッドに比して全体的にコンパクト化することが容易であり、かつ、昨今の半導体分野における技術の進歩と信頼性の向上が著しいＩＣ技術やマイクロ加工技術の長所を効率よく活用することができる。
【００４０】
さらに、電気熱変換体を用いた記録ヘッドは、長尺化および面状化（２元化）が容易であることなどから、マルチノズル化や高密度実装化が容易となる。そして、この電気熱変換体を用いた記録ヘッドにおいては、大量に、生産性よく、製造コストも安価なインクジェット記録用ヘッドを提供することが可能となる。
【００４１】
従って、本実施形態においても、記録ユニットＡは電気熱変換素子の発熱により、インク中に生じた膜沸騰の圧力によってノズル先端の吐出口からインクが吐出されるように構成された記録ヘッドを用いている。
【００４２】
このように、エネルギー発生手段に電気熱変換体を用い、半導体製造プロセスを経て製造されたインクジェット用の記録ヘッドは、一般に、それぞれのインク吐出口に対応した液路が設けられている。そして、これらの液路ごとに液路を満たす液体に熱エネルギーを作用させることにより、対応するインク吐出口から液体を吐出するように構成されている。
【００４３】
また、インクジェット用の記録ヘッドには、飛翔用液滴を形成する手段としての電気熱変換体が設けられ、それぞれの液路には、それぞれの液路に連通した共通液室から液体が供給される構造となっている。
【００４４】
次に画像読取記録装置における電装部の構成について説明する。
すなわち、電装部は、主として装置全体のシステムを制御するシステムコントロール基板、主として記録系を制御するプリンタコントロール基板、装置に電源を供給する電源ユニットＤ、操作パネルのキーやＬＥＤを実装しているオペレーションコントロール基板などから構成される。
これらのうちのオペレーションコントロール基板は、操作部Ｃとして装置操作性の観点から、装置前面に斜めにして配置されている。
【００４５】
また、図１に示すように、すべての電源ユニットＤが給紙部の下部に配置されている。また、システムコントロール基板は、装置の一方側（図中右側）、かつ、記録ユニットＡと読取ユニットＢとの間に配置されている。
【００４６】
また、操作部Ｃは、テンキーなどの各種キースイッチなどにより構成され、装置の動作指示および各種情報の入力が行われる。操作部には、ＬＣＤ、ＬＥＤなどにより構成され、装置の状態などを表示する表示部も設けられている。
【００４７】
次に、読取ユニットＢの構成について、その概略構成を示す断面図である図１０を用いて説明する。
画像読み取り部４１は、例えばＬＥＤアレイ等の線状光源である反射原稿用光源１０１と、複数のミラー１０４ａ〜１０４ｃと、集光レンズ１０２および撮像素子１０３を内蔵し、原稿載置台としての原稿台ガラス６０の裏面側で、原稿台ガラス６０と一定距離を保って紙面左右方向に移動可能に構成されている。そして、読み取られた画像に基づく画像データは、フレキシブルケーブルなどによって画像読み取り記録装置の画像処理部、すなわち制御部に伝送される。
【００４８】
図に示す撮像素子１０３にはリニアセンサを用いるが、リニアセンサは、複数の光電変換素子がキャリッジの移動方向（この場合画像読み取り部４１の移動方向）に対して垂直にほぼ直線状に並ぶ姿勢で搭載されてなる。光電変換素子としてはフォトダイオード、ＣＣＤ(Charge Coupled Device)、ＭＯＳトランジスタスイッチ等が使用される。リニアセンサの光電変換素子の配列方向が読み取りの主走査方向を規定し、キャリッジの移動方向が副走査方向となる。リニアセンサは、可視光、赤外光、紫外光等、所定の波長領域の光を光電変換して得られる電荷を一定時間蓄積し、受光量に応じた電気信号を出力する。本実施形態では、レンズ縮小形リニアイメージセンサを用いるが、密着型イメージセンサを用いてもよい。
【００４９】
撮像素子１０３の主走査線を副走査方向に移動させる駆動部６５０（図２０）は、画像読み取り部４１の筐体（キャリッジ）に係止されたタイミングベルト、このベルトを回転させるステッピングモータ、副走査方向と平行に設けられたシャフト等を備える（いずれも図示せず）。キャリッジは、シャフトに対し、スライド自在に係止し、原稿台ガラス６０の板面に対し平行に往復移動自在となるように取り付けられている。駆動部６５０は制御部６２０の指示に従ってキャリッジをモータでベルト駆動して、リニアセンサ１０３と反射原稿用光源１０１とを原稿台ガラス６０の盤面に対して平行に運搬する。
【００５０】
次に反射原稿のスキャンについて図１０を用いて説明する。原稿台ガラス上に反射原稿Ｇを画像読み取り面を下（原稿台ガラス６０に向き合う）にして載置する。圧板ユニット９を回転させて原稿台ガラス６０にかぶせる。このとき白色シートユニット６２によって原稿Ｇが原稿台ガラス６０から浮かないように押さえられることになる。
【００５１】
図１０に示すように、本実施形態の読取ユニットＢは、左側に倒された状態のフィルムホルダ６１が存在する領域を除いた領域が反射原稿の読み取り範囲となっている。そのため、フィルムホルダ６１を左側に倒しておけば、反射原稿を読み取る場合でもフィルムホルダ６１を取り外す必要がない。
【００５２】
反射原稿Ｇの画像読み取り時には図１１に破線で示すように、反射原稿用光源１０１により照射された光Ｌが原稿台ガラス上６０上の反射原稿Ｇで反射され、この反射光がミラー１０４ａ〜１０４ｃおよび集光レンズ１０２により撮像素子１０３の受光部に結像される。キャリッジは、原稿台ガラス６０の板面に対し平行な方向（図１０の矢印Ｊの方向）に移動して反射原稿の副走査方向の画像読み取りを行う。
【００５３】
次に、透過原稿の画像読み取り時の手順及び画像読取記録装置の動作について図１１、図１２及び図２１を用いて説明する。
まず、ユーザは、圧板ユニット９を開け、フィルムホルダ６１を左に倒した状態（図３及び図１１に示した状態）でフィルムホルダ６１に読み取りたいネガフィルムを装着する。このときネガフィルムの表面（ベース面）が装置上側に来るようにセットする。これは従来の方法と逆の向きであり、像が正しく見えるようにセットすればよいため間違えにくい。
【００５４】
ネガフィルムを装着してフィルムホルダ６１を左に倒した状態で、圧板ユニット９を閉じずに操作パネル上に配置されたフィルムスキャンキー（不図示）を押下する。コントロール基板上に配置された制御部６２０（図２０）は、フィルムスキャンキーの押下を検知すると（図２１、Ｓ１０１）、フィルムホルダ位置検出センサ６４０の状態を検出し、フィルムホルダ６１がどちらに倒されている状態にあるのかを判別する（Ｓ１０３）。
【００５５】
この場合には左に倒されている状態なので、Ｓ１０７へ移行し、透過原稿用光源６３は点灯させず、読み取り部４１内の反射原稿用光源１０１を点灯させて、読み取りユニット中の駆動部６５０を制御し、モータを回転させてキャリッジを副走査方向（図１１矢印Ｋの方向）に移動させる（Ｓ１０９）。反射原稿用光源１０１が点灯しながら移動することにより、使用者はフィルム画像の内容およびフィルムの表裏方向が正しくセットされているかを確認することができる。キャリッジが所定の位置まで移動したら（Ｓ１１１）、ＣＰＵはキャリッジの移動を停止し、反射原稿用光源１０１を消灯する。
【００５６】
上記操作により、フィルムの表面が上を向いてセットされていなければ、フィルムをセットし直す。そして、フィルムの表裏方向が正しいことが確認できたならば、使用者は次にフィルムホルダ６１を右に回転させて倒す（図４に示した状態にする）。そして、圧板ユニット９から白色シートユニット６２を取り外して、圧板ユニット９を回転させて原稿台ガラス６０にかぶせるように倒す。このとき透過原稿用光源６３がフィルムホルダ６１上に位置することになる。
【００５７】
使用者が操作パネル上のフィルムスキャンキーを押下すると、コントロール基板上に配置された制御部６２０はこの押下を検知し（Ｓ１０１）、フィルムホルダ位置検出センサ６４０によりフィルムホルダ６１が倒されている方向を判別する（Ｓ１０３）。そして、右に倒されていることを検知し（Ｓ１０５）、透過原稿読み取り処理を行う（Ｓ１１３）。
【００５８】
すなわち、反射原稿用光源１０１は点灯せずに透過原稿用光源６３を点灯させる。これにより、図１２に破線で示すように、透過原稿用光源６３により照射された原稿台ガラス６０上の透過原稿の透過光像はミラー１０４ａ、１０４ｂ、１０４ｃ及び集光レンズ１０２により撮像素子１０３の受光部に結像される。制御部６２０は駆動部６５０を制御して読み取りユニットＢ内に配設されたモータを駆動し、キャリッジを副走査方向（図１２矢印Ｍの方向）に移動させて透過原稿の副走査方向の画像読み取りを行う。読み取り範囲の終了位置までキャリッジを移動したならば、処理を終了する。
【００５９】
以上説明したように、本実施形態によれば、フィルムホルダが装置から分離した状態で原稿ガラス上に単に置かれるのではなく、装置に装着する構成を有するため、位置決めが容易で、かつ位置ずれを防止することができる。また、反射原稿の読み取り時に取り外す必要がないため、フィルムホルダの紛失を防止するとともに、フィルムホルダを取り出してセットするわずらわしさを解消することができる。
【００６０】
また、装置に装着した状態でフィルムホルダを裏返すことが可能であるため、まず像が正しく見える向きでフィルムを装着し、その後ホルダを回転させれば良いため、ユーザにとってフィルム装着時の違和感がなく、誤りを起こしにくい。
【００６１】
さらに、反射原稿用光源を利用してフィルムの装着状態を確認することが出来るため、より一層装着ミスの発生を減らすことが可能である。
【００６２】
●（第２の実施形態）
図１３は本発明の第２の実施形態に係る画像読み取り記録装置の外観を示す斜視図である。
本実施形態の画像読み取り記録装置は、第１の実施形態の圧板ユニット９に自動原稿分離搬送ユニットＭを備えた装置である。自動原稿分離搬送ユニットＭにおいて、原稿束を積載する原稿積載トレイ２０１、原稿の幅方向を規制する原稿スライダ２０２である。原稿の自動搬送に係る構成を除き、本実施形態における圧板ユニット９’は第１の実施形態のそれと同じ構成である。すなわち、内部には透過原稿用光源６３が内蔵され、また白色シートユニット６２が着脱可能に設けられている（図１４）。
【００６３】
本実施形態においては、図１５に示すように、原稿台ガラス６０上で、装置に向かって右側のエリア６０ａが反射原稿を載置して（自動原稿分離搬送ユニットＭを用いずに）画像を読み取るための反射原稿読み取り領域、図１６に示すように、装置に向かって左側のエリア６０ｂが自動原稿分離搬送ユニットＭで搬送された反射原稿の画像を読み取る自動搬送原稿読み取り領域である。これら２つの領域６０ａ、６０ｂは自動原稿分離搬送ユニットＭで搬送される原稿をガイドするための透明すくいシート２１１によって分離されている。
【００６４】
図１４に示す自動原稿分離搬送ユニットＭの略断面図を用い、原稿の搬送径路を説明する。原稿積載トレイ２０１上に積載された原稿束Ｐはピックアップローラ２０３により分離ローラ２０４まで搬送される。分離ローラ２０４と対向する位置に、ゴム材質からなる分離板が分離ローラ２０４に対してバネで押圧されており、ピックアップローラ２０３により搬送された原稿束Ｐは分離板と分離ローラ２０４の作用により、原稿束Ｐから原稿一枚が分離され、引き抜きローラ２０５まで搬送される。引き抜きローラ２０５により原稿がガイドに沿って進み、給送ローラ２０７、２０８を通って進む。給送ローラ２０７、２０８から進んだ原稿は画像読取センサ４１により画像が読み取られた後、透明すくいシート２１１により上方にガイドされて排紙ローラ２０９、２１０まで運ばれ、排紙ローラ２０９、２１０により排出される。
【００６５】
本実施形態においては、自動原稿分離搬送ユニットＭの一部を構成する透明すくいシート２１１が原稿ガラス６０上に設けられている。そのため、フィルムホルダ６１’の形状が第１の実施形態と異なっている。図１７は、フィルムホルダ６１’の斜視図である。具体的には、フィルムホルダ６１’が透明すくいシート２１１をまたいで回動可能なように、フィルムホルダ６１’の枠体から２つの足が透明すくいシート２１１の両脇に延び、その端部に丸軸６１ａ及び６１ｂが設けられている。丸軸６１ａ、６１ｂをスキャナカバー８に取り付ける構造は第１の実施形態と同じでよい。
【００６６】
図１８は、画像読取記録装置にフィルムホルダ６１’を取り付ける様子を示す斜視図、図１９はその拡大図である。フィルムホルダ６１’の丸軸６１ａおよび６１ｂがスキャナカバー上面に設けられた凹部にはめ込んでセットするように構成されている。まず、丸軸６１ｂをスキャナカバー上面手前側に設けられた凹部８ｂに挿入し、続いて丸軸６１ａをスキャナカバー上面奥側に設けられた凹部８ａに嵌合させることで画像読取記録装置のスキャナカバーにフィルムホルダ６１’が取り付けられる。
【００６７】
本実施形態に係る装置において、自動原稿分離搬送ユニットＭを用いて原稿の画像を読み取る場合にはフィルムホルダ６１’を右側に倒して図１６の状態にして、圧板ユニット９’を閉じ、トレイ２０１に原稿をセットして読み取りを行うことができる。また、自動原稿分離搬送ユニットＭを用いずに反射原稿の読み取りを行う場合には、フィルムホルダ６１’を左側に倒して図１５の状態にし、エリア６０ａに原稿をセットして圧板ユニット９’を閉じて読み取りを行う。
【００６８】
本実施形態においても第１の実施形態と同様、フィルムホルダ６１’を１８０度回転させて原稿台ガラス６０の右側のエリア６０ａ上に倒した時（図１６）に、フィルムホルダ６１’が透過原稿読み取り領域内に位置決めされるよう、圧板ユニット９’の透過原稿用光源６３の位置と、スキャナカバー８における丸軸６１ａ、６１ｂの位置が決定されている。
【００６９】
フィルムホルダ６１’がどちら側に倒れているのかについての検出についても第１の実施形態と同様に行うことができる。すなわち、丸軸６１ａの近傍かつ読み取りユニット内にフォトインタラプタセンサで構成されるホルダセンサ（不図示）が配置されており、フィルムホルダが６０ｂ側に倒されたとき（図１５）には、フィルムホルダから伸びたリブ（不図示）がフォトインタラプタセンサのスリットをさえぎり、６０ａ側に倒されたときはスリットをさえぎらないように構成されている。
【００７０】
エリア６０ａに置かれた反射原稿の読み取り及び、フィルムホルダ６１’を用いた透過原稿の読み取りに関する動作制御は、第１の実施形態と同一でよいため、説明は省略する
以上説明したように、本実施形態によれば、圧板ユニット９に自動原稿分離搬送ユニットＭが設けられた構成の画像読み取り記録装置においても、第１の実施形態と同様の効果が得られる。
【００７１】
●（他の実施形態）
なお、上述の実施形態において、透過原稿のセットが正しいかどうかを確認するために画像読み取り部４１を移動した後、透過原稿の読み取りを行う前に、画像読み取り部４１を元の位置に戻しても良い。或いは、透過原稿のセットが正しいかどうかを確認するために画像読み取り部４１を移動した後、その状態で待機しておき、透過原稿の読み取りを開始するようにしても良い。
【００７２】
また、フィルムホルダは画像読取装置に取り付けた状態で装着された透過原稿を裏返すことが可能であれば、他の形状を有していても良いし、取り付け方法も任意である。
【００７３】
また、上述の実施形態においては、原稿ガラス上に置いた反射原稿を読み取る際もフィルムホルダ６１を取り付けた状態にする場合の構成のみを説明したが、原稿ガラス上に置いた反射原稿を読み取る際にはフィルムホルダ６１を取り外すように構成することも可能である。この場合、フィルムホルダ６１の紛失を防止する効果は得られないが、他の効果は依然として実現される。
【００７４】
また、上述の実施形態においては、フィルムホルダの軸が直接スキャナカバーに取り付けされる構成についてのみ説明したが、画像読取ユニットに取り付けられた状態で、保持された透過原稿を裏返すことが可能であれば、換言すれば、取り付けられた状態で、原稿台に対する向きが１８０°異なる第１の位置及び第２の位置のいずれかの状態を取りうるようであれば、他の部材を介して取り付けされていても良い。
【００７５】
また、図２２に示すような、読取ユニットＢから上下に出し入れ可能な一対の支持棒で回転可能に支持する構造のように、原稿台上の位置を変えずにフィルムホルダを裏返すことが可能な構成であっても良い。
【図面の簡単な説明】
【００７６】
【図１】本発明の第１の実施形態に係る画像読取記録装置の断面図である。
【図２】本発明の第１の実施形態に係る画像読取記録装置の斜視図である。
【図３】図２において圧板ユニット９が開いた状態を示す斜視図である。
【図４】図３においてフィルムホルダ６１を右に回転させて倒した状態を示す斜視図である。
【図５】フィルムホルダの斜視図である。
【図６】画像読取記録装置にフィルムホルダを取り付ける様子を示す斜視図である。
【図７】図６の拡大図である。
【図８】本発明の第１の実施形態に係る画像読取記録装置の圧板ユニット９の構成を示す斜視図である。
【図９】図８の状態で白色シートユニットを外した状態を示す斜視図である。
【図１０】本発明の第１の実施形態に係る画像読取記録装置において、反射原稿読み取り時の読取ユニットＢの状態を示す断面図である。
【図１１】本発明の第１の実施形態に係る画像読取記録装置において、透過原稿のセット状態を確認する際の読取ユニットＢの状態を示す断面図である。
【図１２】本発明の第１の実施形態に係る画像読取記録装置において、透過原稿読み取り時の読取ユニットＢの状態を示す断面図である。
【図１３】本発明の第２の実施形態に係る画像読取記録装置の斜視図である。
【図１４】本発明の第２の実施形態に係る画像読取記録装置の自動原稿分離搬送ユニットＭの主な構成を示す断面図である。
【図１５】本発明の第２の実施形態に係る画像読取記録装置において、フィルムホルダを左に回転させて倒した状態を示す斜視図である。
【図１６】本発明の第２の実施形態に係る画像読取記録装置において、フィルムホルダを右に回転させて倒した状態を示す斜視図である。
【図１７】フィルムホルダの斜視図である。
【図１８】画像読取記録装置にフィルムホルダを取り付ける様子を示す斜視図である。
【図１９】図１８の拡大図である。
【図２０】本発明の実施形態に係る画像読取記録装置の主要機能構成を示すブロック図である。
【図２１】本発明の実施形態に係る画像読取記録装置の透過原稿読み取り処理を説明するフローチャートである。
【図２２】本発明の他実施形態に係る構成を説明する図である。
【符号の説明】
【００７７】
Ａ  記録部
Ｂ  読取部
Ｃ  操作部
Ｍ  原稿分離搬送ユニット
１  リアカバー
２  ミドルカバー
３  ボトムカバー
４ａ  フロントカバー左
４ｂ  フロントカバー右
５  記録紙排紙トレイ
６  操作下カバー
７  操作パネル
８  スキャナカバー
９  圧板ユニット
１０  記録紙カバー
２６  オートシートフィーダー
２７  スライダ
４１  画像読取センサ
６１  フィルムホルダ
６２  白色シートユニット
６３  透過原稿用光源
１０１  反射原稿用光源
１０２  集光レンズ
１０３  撮像素子
１０４ａ、１０４ｂ、１０４ｃ  ミラー
【図１】
2005204163.tif 000003
【図２】
2005204163.tif 000004
【図３】
2005204163.tif 000005
【図４】
2005204163.tif 000006
【図５】
2005204163.tif 000007
【図６】
2005204163.tif 000008
【図７】
2005204163.tif 000009
【図８】
2005204163.tif 000010
【図９】
2005204163.tif 000011
【図１０】
2005204163.tif 000012
【図１１】
2005204163.tif 000013
【図１２】
2005204163.tif 000014
【図１３】
2005204163.tif 000015
【図１４】
2005204163.tif 000016
【図１５】
2005204163.tif 000017
【図１６】
2005204163.tif 000018
【図１７】
2005204163.tif 000019
【図１８】
2005204163.tif 000020
【図１９】
2005204163.tif 000021
【図２０】
2005204163.tif 000022
【図２１】
2005204163.tif 000023
【図２２】
2005204163.tif 000024